(57)【要約】【課題】各種の瓦棒葺き屋根の改修に用いられる改修用支持部材及び改修構造を提供する。【解決手段】本発明の改修構造は、桁行き方向の相反する向きにそれぞれはぜ部２１，２１が突出する既設屋根２に改修用支持部材１を取り付け、その上に新設屋根を支持させる改修構造であって、前記改修用支持部材１は、２つの貫通孔１１１を有して新設屋根の取付部となる上面体１１と、螺合部１２１及び施工状態においてはぜ部２１の下端に係止する係止部１２３を有する２つの側面体１２と、前記上面体１１の各貫通孔１１１から挿入して各側面体１２の螺合部１２１に螺合する２つの締着具１３とからなり、前記改修用支持部材１を、既設屋根２の一対のはぜ部２１，２１を跨いで配設し、上面体１１上から締着具１３を締め付けることにより側面体１２を上昇させ、係止部１２３をはぜ部２１に下方から係止させ、この改修用支持部材１の上面体１１に新設屋根を支持させる。【選択図】  図１
2004308217.tif 000002
【特許請求の範囲】
【請求項１】
はぜ部を有する既設屋根に取り付けられ、その上に新設屋根を支持させる改修用支持部材であって、
少なくとも２つの貫通孔を有して新設屋根の取付部となる上面体と、螺合部及び施工状態においてはぜ部に下方から係止する係止部を有する２つの側面体と、前記上面体の各貫通孔から挿入して各側面体の螺合部に螺合する２つの締着具とからなることを特徴とする改修用支持部材。
【請求項２】
桁行き方向の相反する向きにそれぞれはぜ部が突出する既設屋根に改修用支持部材を取り付け、その上に新設屋根を支持させる改修構造であって、
前記改修用支持部材は、少なくとも２つの貫通孔を有して新設屋根の取付部となる上面体と、螺合部及び施工状態においてはぜ部に下方から係止する係止部を有する２つの側面体と、前記上面体の各貫通孔から挿入して各側面体の螺合部に螺合する２つの締着具とからなり、
前記改修用支持部材を、既設屋根の一対のはぜ部を跨いで配設し、上面体上から締着具を締め付けることにより側面体を上昇させ、係止部をはぜ部に下方から係止させ、この改修用支持部材の上面体に新設屋根を支持させるようにしたことを特徴とする改修構造。
【請求項３】
既設屋根のはぜ部間隔に応じて上面体を回転させて各側面体の桁行き方向における間隔を調整すると共に、各側面体の係止部が桁行き方向に向くように回動させた改修用支持部材を配設することを特徴とする請求項２に記載の改修構造。
【発明の詳細な説明】
【０００１】
【発明の属する技術分野】
本発明は、各種の瓦棒葺き屋根の改修に用いられる改修用支持部材及び改修構造に関する。
【０００２】
【従来の技術】
従来、既設屋根の改修（葺き替え）を重ね葺きで行う場合、特に瓦棒葺き屋根の改修について各種の提案がなされている（例えば特許文献１，２など）。
【０００３】
【特許文献１】
特開２０００−３３６８５２公報（段落番号００１７〜００１８，図１）
【特許文献２】
特開平６−２０７４４８号公報（段落番号００１１〜００１３，図１）
【０００４】
前記特許文献１は、一方の側縁に取付部を形成し、他方の側縁にハゼ掛けキャップ部を形成した屋根材を、既設屋根の瓦棒上にて重合する構成であるが、屋根材の一方の側縁は瓦棒に被覆した状態でビス８にて既設屋根に固定されている。
また、前記特許文献２は、既設屋根（古い金属屋根材６Ａ）の瓦棒に跨るように吊子（固定受け金具２）を固定し、該吊子に屋根材３と接続キャップ８とからなる新設屋根を敷設する構成であるが、吊子はビス１４にて既設屋根に固定されている。
【０００５】
【発明が解決しようとする課題】
しかしながら、前述の特許文献１及び特許文献２のように、新設屋根を構成する屋根材や、屋根材を支持するための吊子などを固定する手段として、ビスを用いて固定した場合、既設屋根に孔が形成されるため、雨仕舞の観点から好ましくないものであった。
また、特に特許文献２のように既設屋根の瓦棒に跨るように吊子を配設する態様においては、既設屋根の瓦棒の寸法が一定でないため、種々の寸法の瓦棒に対応させるためには、種々の寸法の吊子を準備するか、或いは一種の吊子にて対応するためには既設屋根の最大の瓦棒の寸法に合わせて吊子を成形する必要があった。さらに、前者の場合、種々の吊子に応じて屋根材に寸法も変える必要があった。
そこで、本発明は、各種の瓦棒葺き屋根の改修に用いられる改修用支持部材及び改修構造を提案することを目的とする。
【０００６】
【課題を解決するための手段】
本発明は上記に鑑み提案されたもので、はぜ部を有する既設屋根に取り付けられ、その上に新設屋根を支持させる改修用支持部材であって、少なくとも２つの貫通孔を有して新設屋根の取付部となる上面体と、螺合部及び施工状態においてはぜ部に下方から係止する係止部を有する２つの側面体と、前記上面体の各貫通孔から挿入して各側面体の螺合部に螺合する２つの締着具とからなり、この改修用支持部材を、既設屋根の一対のはぜ部を跨いで配設し、上面体上から締着具を締め付けることにより側面体を上昇させ、係止部をはぜ部に下方から係止させ、上面体に新設屋根を支持させるものであることを特徴とする改修用支持部材に関するものである。
【０００７】
また、本発明は、桁行き方向の相反する向きにそれぞれはぜ部が突出する既設屋根に改修用支持部材を取り付け、その上に新設屋根を支持させる改修構造であって、前記改修用支持部材は、少なくとも２つの貫通孔を有して新設屋根の取付部となる上面体と、螺合部及び施工状態においてはぜ部に下方から係止する係止部を有する２つの側面体と、前記上面体の各貫通孔から挿入して各側面体の螺合部に螺合する２つの締着具とからなり、前記改修用支持部材を、既設屋根の一対のはぜ部を跨いで配設し、上面体上から締着具を締め付けることにより側面体を上昇させ、係止部をはぜ部に下方から係止させ、この改修用支持部材の上面体に新設屋根を支持させるようにしたことを特徴とする改修構造をも提案する。
【０００８】
【発明の実施の形態】
まず、本発明の改修用支持部材１は、図１，２に示すように、上面体１１と、２つの側面体１２と、２つの締着具１３とからなり、上面体１１は少なくとも２つの貫通孔１１１を有して新設屋根の取付部となるものであって、側面体１２は螺合部１２１及び施工状態においてはぜ部２１に下方から係止する係止部１２３を有するものであって、締着具１３は前記上面体１１の各貫通孔１１１から挿入して各側面体１２の螺合部１２１に螺合するものである。
【０００９】
上面体１１は、前述のように少なくとも２つの貫通孔１１１を有して新設屋根の取付部となるものである。この上面体１１は、円盤状でも矩形状でも良く、特に形状を限定するものではない。また、貫通孔１１１の数は少なくとも２つあれば良く、３つ以上であっても良い。取付部は、新設屋根を構成する保持部材４などを取り付け支持するための取付ボルト１１３等を一体的に固着しておいても良いし、或いは予め取付孔を形成したり、単なる受け部としておき、保持部材４などの取り付けに際して固定具を取り付けたり打ち込んで留め付けるようにしても良い。
側面体１２は、前述のように螺合部１２１及び施工状態においてはぜ部２１の巻締め基端に下方から係止する係止部１２３を有する。螺合部１２１は、ナットを一体的に固着して形成されるものと、開口部の内周を雌ネジ加工したものがあり、特にこれらに限定するものではない。また、この螺合部１２１は、配設時のみ、はぜ部２１の頂部に載置されるものであり、施工状態においては、はぜ部２１の頂部から離反して上方に位置する。係止部１２３は、下向きに形成されるはぜ部２１に対して上向きに形成される。
締着具１３は、前述のように上面体１１の各貫通孔１１１から挿入して各側面体１２の螺合部１２１に螺合する。この締着具１３は、一般的にボルトが用いられるが、特にこれに限定するものではない。
【００１０】
図１，２に示す実施例において、上面体１１は、円盤状のプレートであって、その中心（軸）を介して２つの貫通孔１１１，１１１が対称に形成され、中心には円形状の隆起部分１１２が形成され、該隆起部分１１２には取付ボルト１１３が一体的に固着され、新設屋根の取付部を構成している。
側面体１２は、断面が略逆Ｌ字状のピース材であって、横片の下面にナットが一体的に固着されて螺合部１２１が形成され、ナットの下面が配設時にはぜ部２１の頂部に載置される。また、縦片を打ち抜くと共に内向きに折曲加工して内側上向きの折曲片である係止部１２３を形成した構成である。尚、この係止部は例えば縦片の下端を内側上方に折り返して形成しても良い。
締着具１３は、締着ボルトであって、前記上面体１１の各貫通孔１１１から挿入して各側面体１２の螺合部１２１（ナット）に螺合するものである。
【００１１】
この改修用支持部材を配設する既設屋根２は、桁行き方向の相反する向きにそれぞれ突出する一対のはぜ部２１，２１を有する瓦葺きと称される公知の縦葺き屋根であるが、表面に桁行き方向の一方に突出するはぜ部２１が形成される縦平葺き等と称される縦葺き屋根にも適用できる。
図１に示す実施例における既設屋根２は、桁行き方向に隣接する既設屋根材２２，２２の平坦状の面板部２２１，２２１の側縁を略直角状に立ち上げて通し吊子２３の側片２３１，２３１に沿わせ、キャップ材２４の端縁と共に外側方向へはぜ締めしてはぜ部２１とした構成である。この通し吊子２３は、図示しないが下地２５に適宜手段で固定される構成である。
【００１２】
そして、図１（ａ）に示すように、まず既設屋根２の一対のはぜ部２１，２１を跨いで各側面体１２の螺合部１２１の下面がはぜ部２１の頂部に載置されるように配設する。
次に、上面体１１上から締着具１３を締め付けると、側面体１２が上昇し、螺合部１２１がはぜ部２１の頂部から離反する代わりに締着具１３の下端がはぜ部２１の頂部に当接する。
さらに、締着具１３を締め付けると、側面体１２がさらに上昇し、図１（ｂ）に示すように係止部１２３がはぜ部２１の下端に係止し、締め付けをより強く行うと、係止部１２３の先端である上端がはぜ部２１の下端に深く食い込み、改修用支持部材１を既設屋根２に強固に取り付けることができる。
尚、上面体１１と側面体１２とは予め組み付けた状態で配設するようにしても良いし、或いは非組み立て状態としておき、先に側面体１２を配設した後、上面体１１を配設するようにしても良い。また、２つの締着具１３の締め付けは同時に行うようにしても良いし、別々に行うようにしても良い。
【００１３】
このように本発明の改修用支持部材１は、既設屋根２に孔を形成することなくはぜ部２１に強固に取り付けることができる。
また、既設屋根２のはぜ部２１は、高さは一定であってもはぜの巻締め厚みが一定でない場合があり、例えば桁行き方向に隣接するはぜ部２１，２１の巻締め厚みが一定でない場合もあるが、そのような場合であっても締着具１３の締め付け量を調整することにより、強固に且つ平行に取り付けることができる。
【００１４】
前記改修用支持部材１に取り付けられる新設屋根は、縦葺きでも横葺きでも良く、特に限定するものではない。例えば表面側に桟部が表出するものでも、表面がフラット状（略平坦状）に構築されるものであっても良く、瓦棒葺き、折版、横葺き等の公知の屋根を適宜に選択して用いることができ、特に限定するものではない。また、新設屋根と既設屋根間に断熱材等を配しても良い。
したがって、新設屋根に使用される新設外装材３は、縦葺き、横葺き、折板等の公知の外装材であれば良く、太陽光を利用した太陽電池一体屋根材（パネル）であっても良い。この新設外装材３は、素材（材質）を特に限定するものではないが、代表的には概ね０．４乃至１．６ｍｍ程度の表面化粧鋼板、ラミネート鋼板、メッキ鋼板、ステンレス鋼板、アルミ合金板、チタン合金板、銅板等の公知の金属素材をロール成形その他の手段で所定の形状に成形する。尚、硬質樹脂板や炭素繊維積層板等によっても同様の形状に成形することができ、全てをそれらで施工することもできるし、前記金属素材のものと組み合わせて施工することもできる。さらに、新設外装材４の裏面には、結露防止、防音、防火対策上の理由により、必要に応じてポリエチレンフォーム、グラスウールシート等の裏貼り材を添装しても良い。
また、新設屋根を施工するために新設外装材３ばかりでなく、保持部材４やカバー材５、或いは断熱材等を用いても良く、例えば保持部材４としては垂木、吊子、タイトフレームなどと称される公知の保持部材を用いることができ、複数部材の組合せ品も含まれ、長尺材でもピース材でも良い。その取付手段も、ビス、ボルト・ナットなど公知の取付手段を用いて行えば良い。この保持部材４は、素材（材質）を特に限定するものではないが、主にアルミの押出し材が使用され、保持強度を保てばその他の公知の材料、例えば前記新設外装材３の大きさ、所要強度により通常０．６乃至３．２ｍｍ程度のステンレス鋼板やメッキ鋼板等をプレス加工する等して成型しても良い。
【００１５】
図示実施例に用いられた新設屋根材３は、略平坦状の面板部３１の両側縁に略左右対称な側縁成形部３２を有する縦葺屋根板であり、高さの途中に、保持部材４の被嵌合部４１に保持される嵌合部３２１を備える。
また、図示実施例に用いられた保持部材４は、下部保持部材４Ａと上部保持部材４Ｂとからなり、下部保持部材４Ａは、下面が改修用支持部材１の上面体１１上に接する断面略矩形状の下枠部とその上の連結首部とその上の断面略不字状の上枠部とからなる。上枠部の側端が前記新設外装材３の嵌合部３２１と弾性嵌合する被嵌合部４１であり、適宜間隔で連結首部を切断して下枠部を貫く通孔を開設し、該通孔に改修用支持部材１の取付ボルト１１３を挿通させ、ナット４２で留め付けた。上部保持部材４Ｂは、下部保持部材４Ａに弾性的に係合すると共に新設外装材３の側縁成形部３２の上端を被覆状に保持する構成である。
さらに、図示実施例に用いられたカバー材５は、断面傘状の通し材であって、新設外装材３，３の嵌合部３２１，３２１の下端に弾性的に嵌合する。
【００１６】
こうして施工された改修構造は、新設屋根が前述のように既設屋根２に取り付けられた改修用支持部材１の上面体１１に支持されたものであって、前述のように改修用支持部材１の取り付けに際して既設屋根２に孔を形成することなく取り付けられているので、既設屋根２の雨仕舞性がそのまま利用でき、新設屋根と二重の雨仕舞構造を有するものとなる。
【００１７】
また、図示実施例の改修用支持部材１では、図３に示すように既設屋根２のはぜ部２１，２１間隔に応じて容易に対応することができる。尚、図３は、図１，図２の２／３スケールにて示した。
ここでは、図３（ｄ）に示す既設屋根２のはぜ部２１，２１間隔アに対し、図３（ｂ）に示す既設屋根２’のはぜ部２１，２１間隔イが幅狭に形成されているが、上面体１１を回転させて各側面体１２の桁行き方向における間隔を調整すると共に、各側面体１２の係止部１２３が桁行き方向に向くように回動させることにより、容易に対応することができる。
また、図示しないが、例えば貫通孔１１１を横長の長孔に形成すれば、上面体１１を回転することなく既設屋根２のはぜ部２１，２１間隔に応じて各側面体１２の間隔を調整することができる。或いは貫通孔１１１を予め３つ以上設けておき、既設屋根２のはぜ部２１，２１間隔に応じて締着具１３を挿入する貫通孔１１１を適宜に選択し、各側面体１２の桁行き方向における間隔を調整するようにしても良い。さらにこれらを組み合わせて貫通孔１１１を３つ以上設け、且つ各貫通孔１１１を横長の長孔に形成するようにしても良い。
尚、締着具１３による締め付けにて改修用支持部材１を取り付ける手順等については前述と全く同様である。
このように、上面体１１に対して側面体１２が回動可能な改修用支持部材１では、既設屋根２のはぜ部２１，２１の任意の間隔に対応することができる。そして、例えば既設屋根２が表面に桁行き方向の一方に突出するはぜ部２１が形成される縦平葺き等と称される縦葺き屋根である場合には、図３（ｃ），（ｄ）の上面体１１を９０度回転させて対応することができる。
【００１８】
図４に示す実施例は、上面体１１が略菱型状のプレートであり、取付ボルト１１３が一体的に固着されていない以外は前記図１〜３の実施例における改修用支持部材１と全く同様であり、図面に同一符号を付して説明を省略する。
この例で用いられる改修用支持部材１は、前記図１〜３の実施例における改修用支持部材１と全く同様に用いることができ、取付ボルト１１３が固着されていないので、下部保持部材４Ａの連結首部を切断して下枠部を貫通するように取付具を打ち込み、受け部である隆起部分１１２に到達させて取り付けるようにしても良い。
【００１９】
以上本発明を図面の実施の形態に基づいて説明したが、本発明は前記実施の形態に限定されるものではなく、特許請求の範囲に記載の構成を変更しない限りどのようにでも実施することができる。
【００２０】
【発明の効果】
以上説明したように本発明の改修用支持部材は、既設屋根に孔を形成することなくはぜ部に強固に取り付けることができる。
また、既設屋根のはぜ部は、高さは一定であってもはぜの巻締め厚みが一定でない場合があり、例えば桁行き方向に隣接するはぜ部の巻締め厚みが一定でない場合もあるが、そのような場合であっても締着具の締め付け量を調整することにより、強固に且つ平行に取り付けることができる。
【００２１】
また、本発明の改修構造は、前述のように改修用支持部材の取り付けに際して既設屋根に孔を形成することなく取り付けられているので、既設屋根の雨仕舞性がそのまま利用でき、新設屋根と二重の雨仕舞構造を有するものとなる。
【００２２】
さらに、上面体に対して側面体が回動可能な改修用支持部材を用い、既設屋根のはぜ部間隔に応じて上面体を回転させて各側面体の桁行き方向における間隔を調整すると共に、各側面体の係止部が桁行き方向に向くように回動させると、既設屋根のはぜ部の任意の間隔に対応することができる。
【図面の簡単な説明】
【図１】（ａ）本発明の一実施例である改修用支持部材の配設時の状態を示す正面図、（ｂ）施工状態における改修用支持部材及び新設屋根を支持させた改修構造を示す正面図である。
【図２】（ａ）図１における改修用支持部材を構成する上面体の平面図、（ｂ）上面体の正面図、（ｃ）側面体の平面図、（ｄ）側面体の正面図、（ｅ）側面体の側面図、（ｆ）定着具の正面図である。
【図３】（ａ）はぜ部間隔が幅狭の既設屋根に配設する改修用支持部材の平面図、（ｂ）その正面図、（ｃ）はぜ部間隔が幅広の既設屋根に配設する改修用支持部材の平面図、（ｄ）その正面図である。
【図４】（ａ）本発明の他の一実施例である改修用支持部材を示す平面図、（ｂ）正面図、（ｃ）斜視図である。
【符号の説明】
１  改修用支持部材
１１  上面体
１１１  貫通孔
１２  側面体
１２１  螺合部
１２３  係止部
１３  締着具
２  既設屋根
２１  はぜ部
【図１】
2004308217.tif 000003
【図２】
2004308217.tif 000004
【図３】
2004308217.tif 000005
【図４】
2004308217.tif 000006